(57)【特許請求の範囲】
【請求項１】
透過部と遮光部とを上下方向に形成したスクリーンを２本の第一及び第二の巻取軸からそれぞれ垂下し、前記第一及び第二の巻取軸を回転させて前記スクリーンを等速で昇降する昇降装置と、前記巻取軸の一方のみを回転させて、前記スクリーンを上下方向に相対移動させる調光装置とを備えた調光型ロールブラインドにおいて、
前記調光装置には、前記スクリーンの相対移動範囲を外部から調整可能とする調整装置を備えたことを特徴とする調光型ロールブラインド。
【請求項２】
前記昇降装置は、
操作手段の操作に基づいて回転して前記第一の巻取軸を正逆方向に回転させる駆動歯車と、
前記駆動歯車の回転が伝達歯車を介して伝達されて、前記第二の巻取軸を正逆方向に回転させる被動歯車と
を備え、
前記調光装置は、
前記被動歯車の回転方向が変わるとき、前記被動歯車を前記第二の巻取軸に対しあらかじめ設定された角度だけ空回りさせる空回り装置を備え、
前記調整装置は、
前記空回り装置の作動角度範囲を調整する空回り範囲調整装置を備えたことを特徴とする請求項１記載の調光型ロールブラインド。
【請求項３】
前記空回り範囲調整装置は、
前記伝達歯車と、前記駆動歯車及び被動歯車の少なくともいずれかとの噛み合いを解除する解除手段を備えたことを特徴とする請求項２記載の調光型ロールブラインド。
【請求項４】
前記被動歯車を、前記空回り装置を備えた歯車部と伝達軸部とで構成し、
前記歯車部と伝達軸部とのいずれかにネジ軸を出没可能に形成して前記空回り範囲調整装置を形成したことを特徴とする請求項２記載の調光型ロールブラインド。
【請求項５】
前記解除手段は、
前記伝達歯車を噛み合い位置から噛み合い解除位置まで該伝達歯車の軸方向に移動操作可能とした操作孔を、前記伝達歯車を収容するケースに備えたことを特徴とする請求項３記載の調光型ロールブラインド。
【請求項６】
前記解除手段は、
前記伝達歯車のケースに、前記伝達歯車の回転軸を前記駆動歯車及び被動歯車の軸心から遠ざかる方向に移動可能に支持する軸受部を備えたことを特徴とする請求項３記載の調光型ロールブラインド。
【請求項７】
前記調光装置及び調整装置を、前記第二の巻取軸の端部に備えたことを特徴とする請求項２記載の調光型ロールブラインド。
【請求項８】
前記駆動歯車と、前記伝達歯車と、前記被動歯車をケースに収容したことを特徴とする請求項２乃至７のいずれか１項に記載の調光型ロールブラインド。
【発明の詳細な説明】
【技術分野】
【０００１】
この発明は、複数枚のスクリーンを重ね合わせた状態で吊下支持し、そのスクリーンの重なり方を調節することにより、室内への採光量を調整可能とした調光型ロールブラインドに関するものである。
【背景技術】
【０００２】
従来、二重に重ね合わせたスクリーンを上下方向に相対移動させて室内への採光量を調節可能としたロールブラインドが提案されている。
このようなロールブラインドでは、スクリーンに、光を一部透過させる透過部と、光を遮る遮光部とが縞状に交互に形成され、このスクリーンが二重に重ね合わされた状態で吊下支持されている。そして、操作手段の操作により、前後のスクリーンを上下方向に相対移動させて、透過部と遮光部との重なり具合を調整することにより、採光量を調節可能となっている。
【０００３】
また、特許文献１には二重に重ね合わせたスクリーンの上端部をそれぞれ別個の巻取り棒に巻き取り、あるいは巻き戻してスクリーンを昇降可能としたロールブラインドが開示されている。このロールブラインドでは、操作紐の操作により、常には各巻取り棒が同期して同方向に回転されて、２枚のスクリーンが同時に昇降される。
【０００４】
また、スクリーンの昇降操作の後、操作紐を逆方向に操作すると、あらかじめ設定された所定角度に限り一方の巻取り棒のみが回転されて、透過部と遮光部が上下方向に相対移動することにより、透過部に対する遮光部の重なり幅を調整して採光量を調節可能としている。
【先行技術文献】
【特許文献】
【０００５】
【特許文献１】特表２０１０−５２７４２０
【発明の概要】
【発明が解決しようとする課題】
【０００６】
特許文献１に開示されたロールブラインドでは、あらかじめ設定された所定角度に限り一方の巻取り棒のみが回転可能であるので、各スクリーン間の透過部と遮光部との位置ずれにより、一方のスクリーンの透過部を他方のスクリーンの遮光部で完全に覆うことができないことがある。このような場合には、スクリーンで窓外からの光を完全に遮断することができないという問題点がある。
【０００７】
このような不具合を解決するために、各スクリーンの遮光部の幅を透過部の幅より広くすれば、各スクリーン間の透過部と遮光部との位置ずれが生じても、透過部を遮光部で覆って窓外からの光を完全に遮断することはできる。
【０００８】
しかし、透過部の幅が狭くなるので、２枚のスクリーンの遮光部が重なるように相対移動させて、透過部から外光を採り入れようとするとき、充分な採光量が得られなくなるという問題点がある。
【０００９】
この発明の目的は、二重に重ね合わせて吊下支持されるスクリーンの昇降操作時における透過部と遮光部との重なり具合を微調整可能とした調光型ロールブラインドを提供することにある。
【課題を解決するための手段】
【００１０】
請求項１では、透過部と遮光部とを上下方向に形成したスクリーンを２本の第一及び第二の巻取軸からそれぞれ垂下し、前記第一及び第二の巻取軸を回転させて前記スクリーンを等速で昇降する昇降装置と、前記巻取軸の一方のみを回転させて、前記スクリーンを上下方向に相対移動させる調光装置とを備えた調光型ロールブラインドにおいて、前記調光装置には、前記スクリーンの相対移動範囲を外部から調整可能とする調整装置を備えた。
【００１１】
請求項２では、前記昇降装置は、操作手段の操作に基づいて回転して前記第一の巻取軸を正逆方向に回転させる駆動歯車と、前記駆動歯車の回転が伝達歯車を介して伝達されて、前記第二の巻取軸を正逆方向に回転させる被動歯車とを備え、前記調光装置は、前記被動歯車の回転方向が変わるとき、前記被動歯車を前記第二の巻取軸に対しあらかじめ設定された角度だけ空回りさせる空回り装置を備え、前記調整装置は、前記空回り装置の作動角度範囲を調整する空回り範囲調整装置を備えた。
【００１２】
請求項３では、前記空回り範囲調整装置は、前記伝達歯車と、前記駆動歯車及び被動歯車の少なくともいずれかとの噛み合いを解除する解除手段を備えた。
請求項４では、前記被動歯車を、前記空回り装置を備えた歯車部と伝達軸部とで構成し、前記歯車部と伝達軸部とのいずれかにネジ軸を出没可能に形成して前記空回り範囲調整装置を形成した。
【００１３】
請求項５では、前記解除手段は、前記伝達歯車を噛み合い位置から噛み合い解除位置まで該伝達歯車の軸方向に移動操作可能とした操作孔を、前記伝達歯車を収容するケースに備えた。
【００１４】
請求項６では、前記解除手段は、前記伝達歯車のケースに、前記伝達歯車の回転軸を前記駆動歯車及び被動歯車の軸心から遠ざかる方向に移動可能に支持する軸受部を備えた。
請求項７では、前記調光装置及び調整装置を、前記第二の巻取軸の端部に備えた。
【００１５】
請求項８では、前記駆動歯車と、前記伝達歯車と、前記被動歯車をケースに収容した。
【発明の効果】
【００１６】
本発明によれば、二重に重ね合わせて吊下支持されるスクリーンの昇降操作時における透過部と遮光部との重なり具合を微調整可能とした調光型ロールブラインドを提供することができる。
【図面の簡単な説明】
【００１７】
【図１】調光型ロールブラインドを示す正面図である。
【図２】調光型ロールブラインドを示す側面図である。
【図３】調光型ロールブラインドを示す断面図である。
【図４】調光型ロールブラインドのスクリーンを示す斜視図である。
【図５】第一の実施形態の操作装置を示す側面図である。
【図６】第一の実施形態の操作装置の動作を示す説明図である。
【図７】第一の実施形態の操作装置の動作を示す説明図である。
【図８】第一の実施形態の操作装置のケースを示す側面図である。
【図９】第一の実施形態の操作装置の伝達歯車を示す断面図である。
【図１０】第一の実施形態の操作装置の伝達歯車を示す断面図である。
【図１１】第一の実施形態の操作装置の伝達歯車の動作を示す説明図である。
【図１２】スクリーンの重なり具合の調整動作を示す説明図である。
【図１３】スクリーンの重なり具合の調整動作を示す説明図である。
【図１４】第二の実施形態の操作装置を示す側面図である。
【図１５】第二の実施形態の被動歯車を示す分解斜視図である。
【図１６】第二の実施形態の被動歯車を示す正面図である。
【図１７】第二の実施形態の被動歯車を示す正面図である。
【図１８】第二の実施形態の操作装置のケースを示す側面図である。
【図１９】第二の実施形態の操作装置を示す側面図である。
【図２０】第二の実施形態の操作装置を示す側面図である。
【図２１】第三の実施形態の操作装置を示す側面図である。
【図２２】第三の実施形態の伝達歯車の軸受部を示す正面図である。
【図２３】第四の実施形態の操作装置を示す側面図である。
【図２４】第四の実施形態の操作装置を示す正面図である。
【発明を実施するための形態】
【００１８】
（第一の実施形態）
以下、この発明を具体化した一実施形態を図面に従って説明する。図１〜図３に示す調光型ロールブラインドは、取付ブラケット１を介して窓枠等の取付面に取着されるフレーム２の両端に支持ブラケット３が取着され、その支持ブラケット３に２本の巻取軸４ａ，４ｂが回転可能に支持されている。
【００１９】
前記巻取軸４ａ，４ｂは、前記支持ブラケット３に上下方向に所定の間隔を隔てて支持されるとともに、前後方向に僅かにオフセットした状態で支持されている。
前記巻取軸４ａにはスクリーン５ａの上縁が取着され、前記巻取軸４ｂにはスクリーン５ｂの上縁が取着されている。そして、スクリーン５ａ，５ｂは巻取軸４ａ，４ｂから近接して重ね合わされた状態で垂下されている。
【００２０】
前記スクリーン５ａ，５ｂの下縁はボトムレール６に取着され、そのボトムレール６の両端は上方を開口したボトムカバー７に回動可能に支持されている。そして、前記スクリーン５ａ，５ｂはボトムカバー７内からその開口部へ経て上方へ案内されている。
【００２１】
前記スクリーン５ａ，５ｂは、図４に示すように、光を透過する透過部８と、光を遮光する遮光部９が等間隔で上下方向に縞状に形成されている。そして、スクリーン５ａ，５ｂの透過部８が重なる状態では、その透過部８から外光を採り入れ可能であり、スクリーン５ａ，５ｂの透過部８と遮光部９が重なる状態では、外光を遮断可能となっている。
【００２２】
図１に示すように、一方の前記支持ブラケット３には操作装置１０が取着され、その操作装置１０から無端状のボールチェーン１１が垂下されている。そして、ボールチェーン１１の操作により、前記巻取軸４ａ，４ｂを同方向に同一速度で回転させて、スクリーン５ａ，５ｂを一括して昇降可能となっている。
【００２３】
また、スクリーン５ａ，５ｂを昇降操作した後に、ボールチェーン１１を逆方向に引くと、下方の巻取軸４ｂのみを所定角度に限り回転させて、スクリーン５ａ，５ｂを上下方向に相対移動操作可能となっている。
【００２４】
前記ボールチェーン１１は、コネクタ１２で連結されて無端状に形成されるとともに、前記スクリーン５ａ，５ｂの昇降範囲を規制する規制部材１３ａ，１３ｂが取着されている。
【００２５】
そして、スクリーン５ａ，５ｂが上限まで引き上げられたとき、コネクタ１３ａはケース１４の背面側に当接して、ボールチェーン１１の同方向へのそれ以上の操作が阻止される。また、スクリーン５ａ，５ｂが下限まで下降したとき、コネクタ１３ｂはケース１４の前面側に当接して、ボールチェーン１１の同方向へのそれ以上の操作が阻止される。
【００２６】
前記コネクタ１２は、ボールチェーン１１のボールを係止するボール係止部と、そのボール係止部を連結する連結部とで構成され、あらかじめ設定された引張り力以上の力で引っ張られると、ボール係止部が連結部から外れるようになっている。
【００２７】
次に、前記操作装置１０の具体的構成を示す。図１及び図６に示すように、操作装置１０のケース１４内にはプーリー１５が回転可能に支持され、そのプーリー１５に前記ボールチェーン１１が掛装されている。そして、ボールチェーン１１の操作によりプーリー１５が正逆方向に回転される。
【００２８】
前記プーリー１５には駆動歯車１６が一体に形成され、その駆動歯車１６に噛み合う伝達歯車１７が前記ケース１４に回転可能に支持されている。
図５に示すように、前記駆動歯車１６の中心部には前記巻取軸４ｂの伝達軸部１８が挿通され、その伝達軸部１８には捩じりコイルスプリング１９が巻着されている。この伝達軸部１８は、捻りコイルスプリング１９が巻着されている部分は円筒状であり、巻取軸４ｂに係合する先端部分は、巻取軸４ｂと相対回転不能に嵌合する係合片として形成される。
【００２９】
前記駆動歯車１６には前記捩じりコイルスプリング１９の端部２０ａ，２０ｂの近傍に突出する伝達片２１が形成され、駆動歯車１６の回転に基づいて伝達片２１が端部２０ａ，２０ｂのいずれかに係合すると、駆動歯車１６の回転が巻取軸４ｂに伝達される。従って、前記プーリー１５が回転されると、ほぼ同時に巻取軸４ｂが回転される。
【００３０】
前記ケース１４内の上方において、前記伝達歯車１７に噛み合う被動歯車２２がケース１４に回転可能に支持されている。前記駆動歯車１６と被動歯車２２の歯数は同数であり、駆動歯車１６の回転に基づいて被動歯車２２は駆動歯車１６と同方向に同一速度で回転される。
【００３１】
前記被動歯車２２の中心部には前記巻取軸４ａの伝達軸部２３が挿通され、その伝達軸部２３には捩じりコイルスプリング２４が巻着されている。この伝達軸部２３も、捻りコイルスプリング２４が巻着されている部分は円筒状であり、巻取軸４ａに係合する先端部分は、巻取軸４ａと相対回転不能に嵌合する係合片として形成される。
【００３２】
前記被動歯車２２には前記捩じりコイルスプリング２４の端部２５ａ，２５ｂの回動軌跡上に突出する伝達片２６が形成され、被動歯車２２の回転に基づいて伝達片２６が端部２５ａ，２５ｂのいずれかに係合すると、被動歯車２２の回転が巻取軸４ａに伝達される。
【００３３】
従って、図６に示す状態から被動歯車２２が矢印Ａ方向に回転するとき、図７に示すように伝達片２６が端部２５ａに当接するまでのほぼ２７０度の範囲では、被動歯車２２の回転が巻取軸４ａに伝達されない。
【００３４】
同様に、図７に示す状態から被動歯車２２が矢印Ｂ方向に回転するとき、図６に示すように伝達片２６が端部２５ｂに当接するまでのほぼ２７０度の範囲では、被動歯車２２の回転が巻取軸４ａに伝達されない。
【００３５】
このような動作により、前記スクリーン５ａ，５ｂを一括して昇降操作した後に、ボールチェーン１１を逆方向に操作して、駆動歯車１６を逆方向に回転させたとき、被動歯車２２がほぼ２７０度回転するまでは、巻取軸４ａは回転されず、巻取軸４ｂのみが回転される。
【００３６】
図８及び図９に示すように、前記ケース１４の内側の側面にはキャップ２７が弾性的に嵌合されている。このキャップ２７は、前記伝達歯車１７を回転可能に支持する軸部２８に設けられた透孔２９にキャップ２７の嵌合軸２７ａを嵌合することにより、ケース１４に保持される。
【００３７】
そして、キャップ２７がケース１４に保持されている状態では、前記伝達歯車１７は軸方向に移動不能に保持される。また、
図２に示すように、前記ケース１４の外側面には前記透孔２９が開口され、その透孔２９の上方には、透孔２９を中心として湾曲する操作孔３０が形成されている。
【００３８】
そして、図１０に示すように、ケース１４の外側面側から透孔２９に冶具Ｔを挿入してキャップ２７を押圧することにより、キャップ２７をケース１４から取り外し可能となっている。
【００３９】
キャップ２７を取り外した状態では、伝達歯車１７を軸部２８に沿ってスライド可能となるので、操作孔３０から冶具を挿入して伝達歯車１７を押圧することにより、図１１に示すように、伝達歯車１７と駆動歯車１６及び被動歯車２２との噛み合いを解除可能となっている。
【００４０】
また、駆動歯車１６及び被動歯車２２との噛み合いを解除しても、伝達歯車１７は軸部２８から脱落することはない。
図１に示すように、前記巻取軸４ａ，４ｂ内にはスクリーン５ａ，５ｂの巻上時の操作力を軽減するスプリングモーター、スクリーン５ａ，５ｂの自重降下を防止するストッパ装置等が収容されている。
【００４１】
次に、上記のように構成された調光型ロールブラインドの動作を説明する。
ボールチェーン１１を操作して、巻取軸４ａ，４ｂを図３に示す矢印Ｃ方向に回転させると、スクリーン５ａ，５ｂが巻取軸４ａ，４ｂから同一速度で巻き戻され、スクリーン５ａ，５ｂが下降する。
【００４２】
このとき、スクリーン５ａ，５ｂの透過部８と遮光部９が重なった状態、すなわち全遮光状態でスクリーン５ａ，５ｂが下降するように各スクリーン５ａ，５ｂが巻取軸４ａ，４ｂに取着されている。また、被動歯車２２の伝達片２６と捩じりコイルスプリング２４の端部２５ａ，２５ｂとの位置関係は図７に示す状態となる。
【００４３】
スクリーン５ａ，５ｂを所望高さまで下降させた後、ボールチェーン１１を逆方向に操作すると、伝達片２６が図６に示す位置に達するまで、巻取軸４ａは回転されず、巻取軸４ｂのみが回転される。すると、スクリーン５ａ，５ｂが上下方向に相対移動して、スクリーン５ａ，５ｂの透過部８が重なる状態となり、外光を採り入れ可能となる。
【００４４】
この状態からボールチェーンをさらに同方向へ操作すると、巻取軸４ａ，４ｂが同一速度で回転され、スクリーン５ａ，５ｂが同一速度で引き上げられる。
スクリーン５ａ，５ｂの透過部８と遮光部９の上下幅の精度が悪い場合には、スクリーン５ａ，５ｂを下降操作するとき、図１２に示すように、スクリーン５ａ，５ｂの透過部８と遮光部９とが一部重ならないことがある。
【００４５】
このような場合には、スクリーン５ａとスクリーン５ｂの遮光部９の間に隙間が生じ、全遮光状態とならないので、次に示す補正処理を行う。
図１０に示すように、ケース１４からキャップを取り外し、図１１に示すように伝達歯車１７をスライドさせて、駆動歯車１６と被動歯車２２とを切り離す。この状態で、ボールチェーン１１を操作して駆動歯車１６を回転させ、スクリーン５ｂのみを昇降して、図１３に示すように、スクリーン５ａ，５ｂの透過部８と遮光部９とが重なるように調整する。
【００４６】
この後、伝達歯車１７をスライドさせて駆動歯車１６及び被動歯車２２と噛み合わせ、キャップ２７を軸部２８に嵌合する。この結果、スクリーン５ａ，５ｂの下降操作時には、スクリーン５ａ，５ｂの透過部８と遮光部９とが重なって全遮光状態となるように調整可能である。
【００４７】
上記のように構成された調光型ロールブラインドでは、次に示す作用効果を得ることができる。
（１）ボールチェーン１１の操作により、二重に重ね合わせて吊下支持されるスクリーン５ａ，５ｂの透過部８と遮光部９の重なり具合を調整して採光量を調節することができる。
（２）ボールチェーン１１の操作により、スクリーン５ａ，５ｂを一括して同一速度で昇降することができる。
（３）伝達歯車１７と駆動歯車１６及び被動歯車２２との噛み合いをケース１４の外部からの操作により外して、駆動歯車１６のみを回転させることにより、スクリーン５ａ，５ｂの下降操作時あるいは引き上げ操作時に、スクリーン５ａ，５ｂの透過部８と遮光部９とが確実に重なるように容易に調整することができる。従って、透過部８と遮光部９の上下幅を同一としても、スクリーン５ａ，５ｂを下降操作するとき、あるいは引き上げ操作するとき、スクリーン５ａ，５ｂが全遮光状態となるように容易に調整することができる。また、巻取軸４ａ，４ｂを操作装置１０から取り外すことなく調整することができる。
（４）駆動歯車１６、伝達歯車１７及び被動歯車２２をケース１４に収容して覆ったので、美観上好ましいとともに、埃等を遮断して安定して動作させることができる。
（第二の実施形態）
図１４〜図１９は、第二の実施形態を示す。この実施形態は、スクリーン５ａ，５ｂの昇降操作時の透過部８と遮光部９の重なり具合を調整する機能を、被動歯車部分に備えたものである。前記第一の実施形態と同一構成部分は同一符号を付して詳細な説明を省略する。
【００４８】
図１４に示すように、ケース１４内に回転可能に支持される被動歯車３１には、ボールチェーン１１の操作に基づいて回転される駆動歯車１６から伝達歯車１７を介して回転力が付与され、駆動歯車１６と被動歯車３１は同一速度で同方向に回転される。
【００４９】
前記駆動歯車１６の回転に基づいて前記巻取軸４ｂが回転され、被動歯車２２の回転に基づいて前記巻取軸４ａが回転される。
図１５に示すように、前記被動歯車３１は、歯車部３２と伝達軸部３３とで構成され、歯車部３２が伝達軸部３３に回転可能に支持されている。そして、伝達軸部３３の中心部に形成された係合孔３４が前記巻取軸４ａの端部に係合して、伝達軸部３３と巻取軸４ａとが一体に回転するようになっている。
【００５０】
前記歯車部３２には径方向に扇状に突出する伝達片３５が形成され、前記伝達軸部３３には径方向に扇状に突出する伝達片３６が前記伝達片３５の回動軌跡上に設けられている。前記伝達片３５，３６は、それぞれ中心に対し６０度の範囲で形成される。従って、歯車部３２は伝達軸部３３に対し最大で２４０度の範囲で空回り可能である。この角度は、透過部８の上下幅と、巻取軸４ａ，４ｂの径によって決まる角度である。
【００５１】
前記歯車部３２の一端にはネジ孔３７が形成され、そのネジ孔３７にはネジ軸３８が螺合されている。前記ネジ軸３８の先端には六角孔３９が形成され、六角レンチを嵌合可能となっている。そして、六角レンチでネジ軸３８を回動操作することにより、ネジ孔３７からのネジ軸３８の突出長さを調節可能となっている。
【００５２】
前記ネジ軸３８は歯車部３２の回転に基づいてその先端が前記伝達片３６に当接する。従って、ネジ軸３８の突出長さを調整すると、歯車部３２の伝達片３５が伝達軸部３３の伝達片３６に当接するまでの空回り角度を調整可能となっている。
【００５３】
図１８に示すように、前記ケース１４の外側面には前記歯車部３２の伝達片３５の回動位置を外部から確認するための目視孔４０が形成されている。また、図１９に示すように、前記ケース１４の後方側面には前記六角レンチを挿通可能とした操作孔４１が形成されている。
【００５４】
そして、伝達片３５が目視孔４０で目視できる位置に達すると、操作孔４１から挿入した六角レンチを六角孔３９に容易に嵌合可能となっている。上記以外の構成は、前記第一の実施形態と同様である。
【００５５】
また、図２０に示すように、前記ケース１４の内側の側面において、前記巻取軸４ａ，４ｂの支持位置には、円筒状の案内部５２が形成されている。そして、巻取軸４ａ，４ｂとケース１４との組み立て時に、前記巻取軸４ａ，４ｂの端部に収容されるブレーキユニット５３の支軸部５４をケース１４に対し容易に位置決めして、前記巻取軸４ａ，４ｂと前記駆動歯車１６及び被動歯車３１のトルク伝達部とを容易に嵌合可能となっている。
【００５６】
前記スクリーン５ａ，５ｂは、同スクリーン５ａ，５ｂを下限まで下降させたとき、巻取軸４ａ，４ｂに対し１回転分の余巻が残るように取着されている。
この実施形態の調光型ロールブラインドのスクリーン５ａ，５ｂの昇降操作は、第一の実施形態と同様である。
【００５７】
スクリーン５ａ，５ｂを所望高さまで昇降した後、ボールチェーン１１を逆方向に操作すると、伝達片３５が逆方向に回転されて伝達片３６に当接するまでの範囲で歯車部３２が伝達軸部３３に対し空回りする。この範囲では、巻取軸４ｂのみが回転されてスクリーン５ａ，５ｂが上下方向に相対移動し、採光量を調節可能となる。
【００５８】
スクリーン５ａ，５ｂを下降操作するとき、スクリーン５ａ，５ｂの透過部８と遮光部９とが一部重ならない場合には、次に示す補正処理を行う。
ケース１４の目視孔４０で伝達片３５の位置を確認して、六角レンチを操作孔４１に挿入し、ネジ軸３８の突出長さを調整して、スクリーン５ａ，５ｂの下降操作時に同スクリーン５ａ，５ｂの透過部８の端縁がぴったりと重なるように調整する。すると、スクリーン５ａ，５ｂの下降操作時には、全開状態となる。
【００５９】
この実施形態の調光型ロールブラインドでは、次に示す作用効果を得ることができる。
（１）ネジ軸３８の突出長さを調整することにより、スクリーン５ａ，５ｂの透過部８が確実に重なるように容易に調整することができる。従って、スクリーン５ａ，５ｂを引き上げ操作するとき、スクリーン５ａ，５ｂが全開状態となるように容易に調整することができる。
（２）ケース１４の外部からネジ軸３８の突出長さを調整することができる。
（第三の実施形態）
図２１及び図２２は第三の実施形態を示す。この実施形態は、前記第二の実施形態の構成に加えて、伝達歯車１７を前記第一の実施形態とは異なる方向にスライドさせて駆動歯車１６及び被動歯車２２との噛み合いを外すことにより、透過部８と遮光部９との重なり具合を調整可能としたものである。
【００６０】
伝達歯車１７は、ケース１４に対し、その回転軸が前記駆動歯車１６及び被動歯車２２の回転軸芯４３，４４から遠ざかる方向に移動可能に支持されている。
図２２に示すように、ケース１４に伝達歯車１７の回転軸４５をスライド可能に保持する軸受部４６を設ける。軸受部４６はその両端部で回転軸４５を弾性的に保持可能とし、回転軸４５をスライドさせるには若干の押圧力を必要とするように形成する。
【００６１】
このような構成により、伝達歯車１７をスライドさせて駆動歯車１６及び被動歯車２２との噛み合いを外すと、第一の実施形態と同様に、スクリーン５ａ，５ｂを下降操作するとき、あるいは引き上げ操作するとき、スクリーン５ａ，５ｂが全遮光状態となるように容易に調整することができる。
（第四の実施形態）
図２３及び図２４は、第四の実施形態を示す。この実施形態は、スクリーン５ａ，５ｂを下降操作するとき、あるいは引き上げ操作するときのスクリーン５ａ，５ｂの透過部８と遮光部９との重なり具合を調整する機能を巻取軸４ａの端部に設けたものである。第一の実施形態と機能的に同一の部分は同一符号を付して説明する。
【００６２】
図２４に示すケース１４内には駆動歯車１６と伝達歯車１７と被動歯車２２が設けられ、ボールチェーン１１の操作により駆動歯車１６が回転されると、伝達歯車１７を介して被動歯車２２が常時駆動歯車１６と同一方向に同一速度で回転される。
【００６３】
図２３に示すように、前記巻取軸４ａの端部には前記第二の実施形態の伝達軸部３３に類似した形状の伝達軸部４７が回転可能に支持され、その外周面上に扇状の伝達片４８が形成されている。そして、伝達軸部４７から延びる一対の連結片４９が前記被動歯車２２に嵌合して、被動歯車２２と伝達軸部４７とが一体に回転するようになっている。
【００６４】
前記伝達軸部４７の周囲には一部を開口した環状の伝達環５０が相対回動可能に前記巻取軸４ａに設けられ、その伝達環５０が前記巻取軸４ａと一体に回転される。
そして、前記被動歯車２２の回転に基づいて伝達軸部４７が回転されて、伝達片４８が伝達環５０の端部に当接すると、巻取軸４ａが被動歯車２２と一体に回転するようになっている。従って、伝達片４８が伝達環５０のいずれかの端部に当接するまで、被動歯車２２の回転が巻取軸４ａに伝達されず、被動歯車２２が空回りする。
【００６５】
前記伝達片４８には前記第二の実施形態と同様なネジ軸３８が出没可能に螺合されている。そして、巻取軸４ａの端部に設けられた開口部５１から冶具を挿入してネジ軸３８を回動操作することにより、伝達片４８の端部からのネジ軸３８の突出長さを調整可能となっている。
【００６６】
前記駆動歯車１６には、巻取軸４ｂから延びる一対の連結片５２が嵌合されている。従って、巻取軸４ｂは駆動歯車１６と一体に回転する。
上記のような調光型ロールブラインドでは、ボールチェーン１１を操作してスクリーン５ａ，５ｂを下降操作するとき、伝達環５０の一端がネジ軸３８の先端に当接して、被動歯車２２とともに巻取軸４ａが回転される。そして、巻取軸４ａ，４ｂがともに回転されて、スクリーン５ａ，５ｂが下降する。
【００６７】
このような下降操作後、上昇に転じて全開とするとき、スクリーン５ａ，５ｂが全開状態とならない場合（スクリーン５ａ，５ｂの遮光部９が上下方向に揃わないとき）には、ネジ軸３８の突出長さを調整することにより、スクリーン５ａ，５ｂの透過部８と遮光部９が重なるように調整可能である。
【００６８】
従って、スクリーン５ａ，５ｂを下降操作するとき、スクリーン５ａ，５ｂが全遮光状態となるように容易に調整することができる。
上記実施形態は、以下の態様で実施してもよい。
・第三の実施形態で、ネジ軸３８を設けず、伝達歯車１７と、駆動歯車１６及び被動歯車３１との噛み合いを外す構成のみとしもよい。
・第一の実施形態で、捻りコイルスプリング１９，２４に対し伝達軸部１８，２３を空回りさせて、捻りコイルスプリング１９，２４と伝達軸部１８，２３との相対角度を調整するようにしてもよい。ケース１４の側面から捻りコイルスプリング１９の端部２０ａ，２０ｂ間、あるいは捻りコイルスプリング２４の端部２５ａ，２５ｂ間に冶具を差込み、捻りコイルスプリング１９若しくは同２４の回転を阻止しながら巻取軸４ａ，４ｂを回転させれば、スクリーン５ａ，５ｂの相対位置を調整することができる。
・第二の実施形態で、ネジ軸３８を伝達片３５の両端部に設ければ、スクリーン５ａ，５ｂを引き上げ操作時及び下降操作時にスクリーン５ａ，５ｂが全遮光状態となるように調整することができる。
・第三の実施形態で、軸受部４６にスペーサーを挿入して、回転軸４５の無用な移動を防止するようにしてもよい。
・第三の実施形態で、巻取軸４ａ，４ｂに対するスクリーン５ａ，５ｂの透過部８あるいは遮光部９に対する取付位置を限定し、かつ巻取軸４ａ，４ｂのスクリーン取付位置が駆動歯車１６及び被動歯車２２の中心に対し同一角度位置となるように巻取軸４ａ，４ｂを駆動歯車１６及び被動歯車２２に連結する。すると、スクリーン５ａ，５ｂの引き上げ操作時には、スクリーン５ａ，５ｂの透過部８と遮光部９が重なるようにすることができる。そして、透過部８と遮光部９の寸法のズレをネジ軸３８の調整で吸収することができる。
・スクリーン５ａ，５ｂの下端はボトムレールに巻回して無端状としてもよい。
【符号の説明】
【００６９】
４ａ…第一の巻取軸、４ｂ…第二の巻取軸、５ａ，５ｂ…スクリーン、８…透過部、９…遮光部、１１…操作手段（ボールチェーン）、１６…昇降装置（駆動歯車）、１７…昇降装置（調整装置、空回り範囲調整装置、伝達歯車）、２１，３５，３６…空回り装置（伝達片）、２２，３１…昇降装置（調光装置、被動歯車）、２４…調光装置（空回り装置、捩じりコイルスプリング）、２７，３０…解除手段（キャップ、操作孔）、３８…調整装置（空回り範囲調整装置、ネジ軸）、４８，５０…調光装置（空回り装置、伝達片、伝達環）。
【図１】
0005539836.tif 000002
【図２】
0005539836.tif 000003
【図３】
0005539836.tif 000004
【図４】
0005539836.tif 000005
【図５】
0005539836.tif 000006
【図６】
0005539836.tif 000007
【図７】
0005539836.tif 000008
【図８】
0005539836.tif 000009
【図９】
0005539836.tif 000010
【図１０】
0005539836.tif 000011
【図１１】
0005539836.tif 000012
【図１２】
0005539836.tif 000013
【図１３】
0005539836.tif 000014
【図１４】
0005539836.tif 000015
【図１５】
0005539836.tif 000016
【図１６】
0005539836.tif 000017
【図１７】
0005539836.tif 000018
【図１８】
0005539836.tif 000019
【図１９】
0005539836.tif 000020
【図２０】
0005539836.tif 000021
【図２１】
0005539836.tif 000022
【図２２】
0005539836.tif 000023
【図２３】
0005539836.tif 000024
【図２４】
0005539836.tif 000025